(57)【要約】  エレベータシステム１０００において、例えばＢ２階において、エレベータ利用者が１階へ行くためにＢ２階の行先呼び登録装置１００のテンキーのキー「１」を押したとする。このとき行先呼び登録装置１００は、キー「１」に対応するキー情報をビル仕様データを使用して階床情報に変換する。行先呼び登録装置１００は、変換された階床情報を含むとともに行先呼びの登録を要求する行先呼び登録要求を生成して群管理制御装置２００に送信する。群管理制御装置２００は行先呼び登録要求に含まれる階床情報の示す行先階について行先呼びを登録する。このようなエレベータシステム１０００において、群管理制御装置２００がビル仕様データ２３１を設定し、それぞれの行先呼び登録装置１００に送信する。行先呼び登録装置１００は、群管理制御装置２００から送信されたビル仕様データ２３１を変換に使用する。
2009130750.tif 000002
【特許請求の範囲】
【請求項１】
エレベータの行先階の階床に対応する操作キーが操作されると前記操作キーに対応する操作キー情報を出力し、出力された前記操作キー情報を所定の変換用情報を使用することにより行先呼びの登録に使用される階床情報に変換し、変換された前記階床情報を含むとともに前記行先呼びの登録を要求する行先呼び登録要求を生成して送信する複数の行先階受付端末装置と、
通信路を介して前記複数の行先階受付端末装置のそれぞれから前記行先呼び登録要求を受信し、前記行先呼び登録要求に含まれる前記階床情報に従って前記行先呼びを登録するエレベータ制御装置と
を備えたエレベータシステムにおいて、
前記エレベータ制御装置は、
前記変換用情報を格納する制御側格納部と、
前記制御側格納部に格納された前記変換用情報を前記通信路を介して前記複数の行先階受付端末装置に送信する制御側通信部と
を備え、
前記複数の行先階受付端末装置のそれぞれは、
前記通信路を介して前記エレベータ制御装置から前記変換用情報を受信する端末側通信部と、
前記端末側通信部により受信された前記変換用情報を格納する端末側格納部と、
前記操作キーが操作されると、前記操作キー情報を出力する端末側操作キー情報出力部と、
前記端末側操作キー情報出力部が出力した前記操作キー情報を、前記端末側格納部に格納された前記変換用情報を使用することにより所定の変換規則に従って前記階床情報に変換し、変換された前記階床情報を含む前記行先呼び登録要求を生成し、生成された前記行先呼び登録要求を前記端末側通信部を介して前記エレベータ制御装置に送信する端末側データ変換部と
を備えたことを特徴とするエレベータシステム。
【請求項２】
前記制御側通信部は、
前記変換用情報として、
前記エレベータが設置された建物の階床であって前記エレベータのかごが停止可能な前記階床ごとに、前記階床情報と前記操作キー情報との対応が示された対応テーブルを送信することを特徴とする請求項１記載のエレベータシステム。
【請求項３】
前記制御側格納部に格納された前記変換用情報は、
少なくとも、最下層となるべき階床である最下層階床に対応する前記操作キー情報を指定する最下層指定情報を含むことを特徴とする請求項１記載のエレベータシステム。
【請求項４】
前記制御側格納部に格納された前記変換用情報は、さらに、
特定の階床の適用を指定する特定階床適用指定情報を含むことを特徴とする請求項３記載のエレベータシステム。
【請求項５】
前記特定階床適用指定情報は、
地下１階と地上１階との間の階床である０階の適用を指定することを特徴とする請求項４記載のエレベータシステム。
【請求項６】
前記端末側データ変換部は、
前記端末側格納部に格納された前記最下層指定情報を使用することにより前記最下層階床に対応する前記操作キー情報を特定するとともに前記最下層階床に対応する前記操作キー情報とそれぞれの前記階床に対応するそれぞれの前記操作キー情報とから前記最下層階床とそれぞれの前記階床との間の階床差を判定し、前記端末側操作キー情報出力部が出力した前記操作キー情報を、判定した前記階床差に基づいて、前記階床情報に変換することを特徴とする請求項３〜５のいずれかに記載のエレベータシステム。
【請求項７】
エレベータの行先階に対応する操作キーが操作されると前記操作キーに対応する操作キー情報を所定の変換用情報を使用することにより行先呼びの登録に使用される階床情報に変換し、変換された前記階床情報を含むとともに前記行先呼びの登録を要求する行先呼び登録要求を生成して送信する複数の行先階受付端末装置から、通信路を介して前記行先呼び登録要求を受信し、前記行先呼び登録要求に含まれる前記階床情報に従って前記行先呼びを登録するエレベータ制御装置において、
前記変換用情報を格納する制御側格納部と、
前記変換用情報を前記通信路を介してそれぞれの前記行先階受付端末装置に送信する制御側通信部と
を備えたことを特徴とするエレベータ制御装置。
【請求項８】
エレベータの行先階の登録を受け付けるエレベータの行先階受付端末装置において、
行先階に対応する操作キーが操作されると前記操作キーに対応する操作キー情報を出力する端末側操作キー情報出力部と、
前記エレベータの行先呼びを要求に従って登録するエレベータ制御装置であって前記操作キー情報を行先呼び登録に使用される階床情報に変換するための変換用情報を送信するエレベータ制御装置から前記変換用情報を受信する端末側通信部と、
前記端末側通信部により受信された前記変換用情報を格納する端末側格納部と、
前記端末側操作キー情報出力部が出力した前記操作キー情報を、前記端末側格納部に格納された前記変換用情報を使用することにより所定の変換規則に従って前記階床情報に変換し、変換された前記階床情報を含むとともに前記行先呼び登録を要求する行先呼び登録要求を生成し、生成された前記行先呼び登録要求を前記端末側通信部を介して前記エレベータ制御装置に送信する端末側データ変換部と
を備えたことを特徴とするエレベータの行先階受付端末装置。
【発明の詳細な説明】
【技術分野】
【０００１】
この発明は、乗車前に行先階登録を行うエレベータシステムに関する。
【背景技術】
【０００２】
従来の乗車前に行先階登録を行うエレベータシステムにおいては、
（１）例えば、特開２０００−２７２８５０号公報では乗場に設置された行先階ボタンに隣接して「割当てかご表示パネル」を設置し、割当てかごが決定されると、この割当てかごを、操作された行先階ボタンに隣接する「割当てかご表示パネル」に表示し、この割当てかごが上記操作された行先階ボタンの設置された階に到着するまで表示を継続する行先呼び登録装置が提案されている。
（２）また、特開２００５−２４７５４７号公報では、テンキーと、キー情報から呼び登録に使用される階床情報及び階床名へ変換するための変換テーブルを備えた行先階登録装置が提案されている。
【特許文献１】特開２０００−２７２８５０号公報
【特許文献２】特開２００５−２４７５４７号公報
【発明の開示】
【発明が解決しようとする課題】
【０００３】
従来のエレベータシステムにおいては、例えば特開２０００−２７２８５０号公報に記載のエレベータシステムでは行先呼び登録装置として行先階ボタンを有するため、行先呼び登録装置を設置する階床が多いと、階床分の種類の行先呼び登録装置が必要となる。また、特開２００５−２４７５４７公報に記載のエレベータシステムでは、テンキーと変換テーブルを備えた行先階登縁談置が提案されているが、このような行先階登録装置の場合行先階登録装置毎に変換テーブルを設定する必要があり、行先階登録装置の数が多いと設定が煩雑になる。
【課題を解決するための手段】
【０００４】
本発明のエレベータシステムは、
エレベータの行先階の階床に対応する操作キーが操作されると前記操作キーに対応する操作キー情報を出力し、出力された前記操作キー情報を所定の変換用情報を使用することにより行先呼びの登録に使用される階床情報に変換し、変換された前記階床情報を含むとともに前記行先呼びの登録を要求する行先呼び登録要求を生成して送信する複数の行先階受付端末装置と、
通信路を介して前記複数の行先階受付端末装置のそれぞれから前記行先呼び登録要求を受信し、前記行先呼び登録要求に含まれる前記階床情報に従って前記行先呼びを登録するエレベータ制御装置と
を備えたエレベータシステムにおいて、
前記エレベータ制御装置は、
前記変換用情報を格納する制御側格納部と、
前記制御側格納部に格納された前記変換用情報を前記通信路を介して前記複数の行先階受付端末装置に送信する制御側通信部と
を備え、
前記複数の行先階受付端末装置のそれぞれは、
前記通信路を介して前記エレベータ制御装置から前記変換用情報を受信する端末側通信部と、
前記端末側通信部により受信された前記変換用情報を格納する端末側格納部と、
前記操作キーが操作されると、前記操作キー情報を出力する端末側操作キー情報出力部と、
前記端末側操作キー情報出力部が出力した前記操作キー情報を、前記端末側格納部に格納された前記変換用情報を使用することにより所定の変換規則に従って前記階床情報に変換し、変換された前記階床情報を含む前記行先呼び登録要求を生成し、生成された前記行先呼び登録要求を前記端末側通信部を介して前記エレベータ制御装置に送信する端末側データ変換部と
を備えたことを特徴とする。【０００５】
前記制御側通信部は、
前記変換用情報として、
前記エレベータが設置された建物の階床であって前記エレベータのかごが停止可能な前記階床ごとに、前記階床情報と前記操作キー情報との対応が示された対応テーブルを送信することを特徴とする。【０００６】
前記制御側格納部に格納された前記変換用情報は、
少なくとも、最下層となるべき階床である最下層階床に対応する前記操作キー情報を指定する最下層指定情報を含むことを特徴とする。【０００７】
前記制御側格納部に格納された前記変換用情報は、さらに、
特定の階床の適用を指定する特定階床適用指定情報を含むことを特徴とする。【０００８】
前記特定階床適用指定情報は、
地下１階と地上１階との間の階床である０階の適用を指定することを特徴とする。【０００９】
前記端末側データ変換部は、
前記端末側格納部に格納された前記最下層指定情報を使用することにより前記最下層階床に対応する前記操作キー情報を特定するとともに前記最下層階床に対応する前記操作キー情報とそれぞれの前記階床に対応するそれぞれの前記操作キー情報とから前記最下層階床とそれぞれの前記階床との間の階床差を判定し、前記端末側操作キー情報出力部が出力した前記操作キー情報を、判定した前記階床差に基づいて、前記階床情報に変換することを特徴とする。【００１０】
この発明のエレベータ制御装置は、
エレベータの行先階に対応する操作キーが操作されると前記操作キーに対応する操作キー情報を所定の変換用情報を使用することにより行先呼びの登録に使用される階床情報に変換し、変換された前記階床情報を含むとともに前記行先呼びの登録を要求する行先呼び登録要求を生成して送信する複数の行先階受付端末装置から、通信路を介して前記行先呼び登録要求を受信し、前記行先呼び登録要求に含まれる前記階床情報に従って前記行先呼びを登録するエレベータ制御装置において、
前記変換用情報を格納する制御側格納部と、
前記変換用情報を前記通信路を介してそれぞれの前記行先階受付端末装置に送信する制御側通信部と
を備えたことを特徴とする。【００１１】
この発明のエレベータの行先階受付端末装置は、
エレベータの行先階の登録を受け付けるエレベータの行先階受付端末装置において、
行先階に対応する操作キーが操作されると前記操作キーに対応する操作キー情報を出力する端末側操作キー情報出力部と、
前記エレベータの行先呼びを要求に従って登録するエレベータ制御装置であって前記操作キー情報を行先呼び登録に使用される階床情報に変換するための変換用情報を送信するエレベータ制御装置から前記変換用情報を受信する端末側通信部と、
前記端末側通信部により受信された前記変換用情報を格納する端末側格納部と、
前記端末側操作キー情報出力部が出力した前記操作キー情報を、前記端末側格納部に格納された前記変換用情報を使用することにより所定の変換規則に従って前記階床情報に変換し、変換された前記階床情報を含むとともに前記行先呼び登録を要求する行先呼び登録要求を生成し、生成された前記行先呼び登録要求を前記端末側通信部を介して前記エレベータ制御装置に送信する端末側データ変換部と
を備えたことを特徴とする。
【発明の効果】
【００１２】
この発明のエレベータシステムにより、テンキーを備えた行先呼び登録装置のビル仕様データの設定が容易になる。
【発明を実施するための最良の形態】
【００１３】
実施の形態１．
図１は、実施の形態１におけるエレベータシステム１０００の概要を示すシステム構成図である。図１を参照して、エレベータシステム１０００の概要を説明する。エレベータシステム１０００は、ビルディング４００に設置されている。エレベータシステム１０００は、一台の群管理制御装置２００（エレベータ制御装置）、各台を管理してそれぞれの「かご５０」の運行を制御する複数の各台管理制御装置３００、ビルディング４００の地下２階（Ｂ２）〜ｎ階（ｎＦ）のエレベータ乗場に設置された複数の行先呼び登録装置１００（行先階受付端末装置）を備えている。【００１４】
（動作の概要）
エレベータシステム１０００では、例えばＢ２階において、エレベータ利用者が１階へ行くためにＢ２階の行先呼び登録装置１００のテンキーのキー「１」を押したとする。このとき、行先呼び登録装置１００は、キー「１」に対応するキー情報（操作キー情報）を出力し、出力されたキー情報を後述する「ビル仕様データ」（変換用情報の一例）を使用することにより、「階床情報」に変換する。「階床情報」については後述するが、「階床情報」とは、群管理制御装置２００が「行先呼び」の登録に使用する情報である。すなわち、群管理制御装置２００は、階床情報の示す階床を行先階と認識する。行先呼び登録装置１００は、キー情報から変換された階床情報を含むとともに「行先呼び」の登録を要求する「行先呼び登録要求」を生成して群管理制御装置２００に送信する。【００１５】
図１に示すエレベータシステム１０００の特徴は、キー情報を階床情報に変換するビル仕様データ２３１を予め群管理制御装置２００が格納しており、群管理制御装置２００がそれぞれの行先呼び登録装置１００に通信路を介してビル仕様データ２３１を配信する点である。それぞれの行先呼び登録装置１００は、配信されたビル仕様データ２３１を格納し、キー情報を階床情報に変換するときに使用する。【００１６】
（ハードウェア構成）
図２は、実施の形態１におけるエレベータシステム１０００の行先呼び登録装置１００、及び群管理制御装置２００のハードウェア資源の一例を示す図である。行先呼び登録装置１００、群管理制御装置２００は、いずれも図２に示すようなハードウェア資源を有するコンピュータである。以下、図２は群管理制御装置２００として説明するが、群管理制御装置２００についての説明は、同様に、行先呼び登録装置１００にも当てはまる。なお、図１において、群管理制御装置２００とそれぞれの各台管理制御装置３００とは別個の装置として記載しているが、これは一例である。群管理制御装置２００とそれぞれの各台管理制御装置３００とは、図１のように別個の装置として実現されてもよいし、群管理制御装置２００がそれぞれの各台管理制御装置３００の機能を含むことにより、群管理制御装置２００とそれぞれの各台管理制御装置３００とが一台の装置で実現されてもよい。また、群管理制御装置２００は、表示部８１３や操作キー８１４を備えない構成でも構わない。【００１７】
図２において、群管理制御装置２００は、プログラムを実行するＣＰＵ８１０（Ｃｅｎｔｒａｌ  Ｐｒｏｃｅｓｓｉｎｇ  Ｕｎｉｔ）を備えている。ＣＰＵ８１０は、バス８２５を介してＲＯＭ（Ｒｅａｄ  Ｏｎｌｙ  Ｍｅｍｏｒｙ）８１１、ＲＡＭ（Ｒａｎｄｏｍ  Ａｃｃｅｓｓ  Ｍｅｍｏｒｙ）８１２、表示部８１３、操作キー８１４、通信ボード８１６、磁気ディスク装置８２０と接続され、これらのハードウェアデバイスを制御する。磁気ディスク装置８２０の代わりに、フラッシュメモリなどの記憶装置でもよい。【００１８】
ＲＡＭ８１２は、揮発性メモリの一例である。ＲＯＭ８１１、磁気ディスク装置８２０等の記憶媒体は、不揮発性メモリの一例である。これらは、記憶装置あるいは記憶部、格納部の一例である。通信ボード８１６、操作キー８１４などは、入力部、入力装置の一例である。また、通信ボード８１６、表示部８１３などは、出力部、出力装置の一例である。【００１９】
通信ボード８１６は、ネットワークに接続されている。行先呼び登録装置１００、群管理制御装置２００、各台管理制御装置３００はネットワークにより接続されており、互いに情報通信を行うことができる。【００２０】
磁気ディスク装置８２０には、オペレーティングシステム８２１（ＯＳ）、プログラム群８２３、ファイル群８２４が記憶されている。プログラム群８２３のプログラムは、ＣＰＵ８１０、オペレーティングシステム８２１により実行される。【００２１】
上記プログラム群８２３には、以下に述べる実施の形態の説明において「〜部」として説明する機能を実行するプログラムが記憶されている。プログラムは、ＣＰＵ８１０により読み出され実行される。【００２２】
ファイル群８２４には、以下に述べる実施の形態の説明において、「ビル仕様データ」として説明する情報や、「〜の判定結果」、「〜の算出結果」、「〜の抽出結果」、「〜の生成結果」、「〜の処理結果」として説明する情報や、データや信号値や変数値やパラメータなどが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ８１０によりメインメモリやキャッシュメモリに読み出され、抽出・検索・参照・比較・演算・計算・処理・出力・表示などのＣＰＵの動作に用いられる。抽出・検索・参照・比較・演算・計算・処理・出力・表示のＣＰＵの動作の間、情報やデータや信号値や変数値やパラメータは、メインメモリやキャッシュメモリやバッファメモリに一時的に記憶される。【００２３】
また、以下に述べる実施の形態の説明において、「〜部」、として説明するものは、「〜手段」、「〜装置」、「〜回路」、「〜機器」であってもよく、また、「〜ステップ」、「〜手順」、「〜処理」であってもよい。すなわち、「〜部」として説明するものは、ＲＯＭ８１１に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。プログラムはＣＰＵ８１０により読み出され、ＣＰＵ８１０により実行される。すなわち、プログラムは、以下に述べる「〜部」としてコンピュータを機能させるものである。【００２４】
図３は、エレベータシステム１０００のブロック図である。【００２５】
（行先呼び登録装置１００）
行先呼び登録装置１００は、エレベータの行先階を登録する。行先呼び登録装置１００は、行先呼び入力部１１０、ビル仕様データ１３１を格納する端末側格納部１３０、群管理制御装置２００との通信機能を有する端末側通信部１２０を備える。また、行先呼び入力部１１０は、行先階を入力するテンキー１１１（操作キー）と、割当かごを表示する表示器１１２と、テンキー１１１から行先階が入力されると、すなわち、行先階に対応するキーが操作されるとキーに対応するキー情報（操作キー情報）を出力する端末側操作キー情報出力部１１３と、群管理制御装置２００から配信されたビル仕様データを用いて、前記キー情報を階床情報に変換する端末側データ変換部１１４と、割当かごを表示器１１２に表示する割当かご通知部１１５を備える。【００２６】
（群管理制御装置２００）
群管理制御装置２００は、各台管理制御装置３００を介して、複数台のかご５０を管理制御する。群管理制御装置２００は、ビル仕様データ２３１の設定を受け付けて、ビル仕様データ２３１を制御側格納部２３０に格納するビル仕様データ設定部２１０と、ビル仕様データ２３１をそれぞれの行先呼び登録装置１００に送信する制御側通信部２２０と、ビル仕様データ２３１を格納する制御側格納部２３０と、行先呼び登録要求に応じて行先呼びを登録し、応答するべき「かご５０」を割当てる行先呼び登録部２４０とを備えている。【００２７】
（各台管理制御装置３００）
各台管理制御装置３００は、該当する「かご５０」を管理制御するかご制御部３０１を備えている。【００２８】
（階床情報）
図４は、群管理制御装置２００によりそれぞれの行先呼び登録装置１００に配信されるビル仕様データ（２３１−１）（対応テーブル）のデータ構成図である。図４は「ビル仕様データ」の一例であり、図４のビル仕様データ（２３１−１）は、変換されるべき階床情報と階床名（階床名に対応する操作キー情報でもよい）との表として構成されている。ここで階床情報とは群管理制御装置２００が管理するバンクの最下限を１として番号付けられており、群管理制御装置２００が行先呼びを登録する際に使用する情報である。図７で後述する。また、階床名とは階床情報とは異なりエレベータの利用者が認識している各階床の呼称であり、バンク毎に各階床に対して一意に決定される。図４のビル仕様データ（２３１−１）は、エレベータが設置された建物の階床であってエレベータのかごが停止可能な階床ごとに、階床情報と階床名（操作キー情報を意味する）との対応が示されたテーブルである。【００２９】
（動作）
図５は、エレベータシステム１０００の動作を示すフローチャートである。以下、図５を参照してエレベータシステム１０００の動作を説明する。【００３０】
（群管理制御装置２００）
ビル仕様データ設定部２１０はビル仕様データ２３１を設定し、ビル仕様データ２３１を制御側格納部２３０に格納する（Ｆ１１）。制御側通信部２２０は、それぞれの行先呼び登録装置１００にビル仕様データ２３１を送信する（Ｆ１２）。【００３１】
（行先呼び登録装置１００）
それぞれの行先呼び登録装置１００では、端末側通信部１２０が、群管理制御装置２００から送信されたビル仕様データ２３１を受信し、ビル仕様データ１３１として端末側格納部１３０に格納する。これより、端末側格納部１３０のビル仕様データ１３１が更新される（Ｆ１３）。あるいは、端末側格納部１３０にビル仕様データ１３１が未格納であれば、格納されることになる。ここで、群管理制御装置２００によるビル仕様データ２３１の送信は、群管理制御装置２００においてビル仕様データ２３１が設定される毎に送信しても良いし、あるいは、群管理制御装置２００から一定時間毎に、定期的に送信しても良い。ビル仕様データ２３１は、どのようなタイミングで群管理制御装置２００から送信してもよい。【００３２】
行先呼び登録装置１００は、行先呼び入力部１１０のテンキー１１１への操作により、行先階の階床名が入力されると（Ｆ１４）、すなわち、行先階に対応するテンキー１１１のキーが操作されると、行先呼び入力部１１０は、端末側通信部１２０を介して行先呼びの登録を要求する行先呼び登録要求を群管理制御装置２００に送信しなければならない。しかし、行先呼び登録装置１００にテンキー１１１が適用されている場合、テンキー１１１で組合わせて入力できる階床は膨大な数となる。このため、テンキー１１１から入力されるデータ、すなわち、操作されたキーに対応するキー情報をそのまま群管理制御装置２００に送信するとデータ伝送仕様が複雑となり、かつ、誤ったキー入力も群管理制御装置２００に送信されることになる。この場合は、余計なデータ送受信が発生する。【００３３】
そこで、行先呼び入力部１１０の端末側データ変換部１１４は、ビル仕様データ１３１（変換用情報）を用いて階床名（操作キー情報）を階床情報に変換し（Ｆ１５）、行先呼び登録要求を群管理制御装置２００に送信する（Ｆ１６）。すなわち、行先呼び登録装置１００では、テンキー１１１のキーが操作されると、端末側操作キー情報出力部１１３が、操作されたキーに対応する操作キー情報を出力する。端末側データ変換部１１４は、端末側操作キー情報出力部１１３が操作キー情報を出力すると、群管理制御装置２００から送信されて端末側格納部１３０に格納されているビル仕様データ１３１を使用することにより、「所定の変換規則」に従って操作キー情報を階床情報に変換する。そして、端末側データ変換部１１４は、変換された階床情報を含む行先呼び登録要求を生成し、生成された行先呼び登録要求を端末側通信部１２０を介して群管理制御装置２００に送信する。図４の場合は、端末側データ変換部１１４は、「所定の変換規則」として、操作キー情報の示す階床名に対応する階床情報に操作キー情報を変換する。例えばキー操作情報が階床名「３」を示す場合には、その操作キー情報を階床情報＜５＞に変換する。この場合、具体的には、テンキーの「３」が押されると、端末側操作キー情報出力部１１３は、操作キー情報である「（３）を示す信号」を出力する。端末側データ変換部１１４は、操作キー情報（３）が出力されると、図４のビル仕様データに従って、操作キー情報（３）を階床情報＜５＞に変換する。端末側データ変換部１１４は、もし、存在しない階床など、ビル仕様データ１３１を用いて階床情報に変換できない「階床名の入力」（テンキー１１１のキー入力）がされた場合には、行先呼び登録要求を送信することなく表示器１１２にエラー表示を表示する。【００３４】
（群管理制御装置２００）
群管理制御装置２００は、制御側通信部２２０により行先呼び登録装置１００から行先呼び登録要求を受信すると（Ｆ１７）、行先呼び登録要求に応答して、行先呼び登録部２４０が、行先呼びを登録し、行き行先呼びに対する割当かごを決定する（Ｆ１８）。そして、制御側通信部２２０は、決定した割当かごを通知する「割当かご通知」を行先呼び登録装置１００に送信する（Ｆ１９）。【００３５】
（行先呼び登録装置１００）
割当かご通知部１１５は、端末側通信部１２０が群管理制御装置２００から「割当かご通知」を受信すると（Ｆ２０）、表示器１２に割当かごを表示する（Ｆ２１）。【００３６】
（群管理制御装置２００）
また、群管理制御装置２００の行先呼び登録部２４０は、割当かごを制御する各台管理制御装置３００のかご制御部３０１に、制御側通信部２２０を介して呼び割当の指令を送信する（Ｆ２２）。【００３７】
（各台管理装置３００）
該当する各台管理制御装置３００のかご制御部３０１は、呼び割当指令を群管理制御装置２００から受信すると（Ｆ２３）、呼び割当動作を実行する（Ｆ２４）。【００３８】
以上説明した実施の形態１によれば、テンキーを備えた行先呼び登録装置で行先呼び登録を行うエレベータシステムにおいて、行先呼び登録装置のビル仕様データが群管理制御装置により一括で管理され、送信されるので、それぞれの行先呼び登録端末へのビル仕様データの設定が容易になる。【００３９】
実施の形態２．
実施の形態１では、群管理制御装置２００から送信されるビル仕様データ２３１は図４に示したように、階床名と階床情報の表で構成されていた。しかし、エレベータが設置されているビル（建物）の構成は、通常地下階から順番に番号付けされており、例えば、階床名がＢ２階、Ｂ１階、１階、２階、３階となっていることが多い。このため、図６に示すビル仕様データ（２３１−２）のデータ構成のように、データを簡単化してもよい。図６のデータ構成は、「階床情報」と「階床名」の示す階との階床差の値（最下層指定情報の一例）のみで構成されている。この「階床情報」と「階床名」の示す階との階床差の値により、行先呼び登録装置１００の端末側データ変換部１１４は、最下層となるべき階床である最下層階床に対応する操作キー情報を特定することができる。図７は、この階床差の値（最下層指定情報）を説明する図である。群管理制御装置２００が使用する階床情報は、通常、＜１＞から順に連続した整数である。階床情報は、通常、低層から高層に向けて＜１＞から順に対応する。例えば、図７に示すように地下２階「Ｂ２」には階床情報＜１＞が対応し、地下１階「Ｂ１」には階床情報＜２＞が対応する。階床差が「−２」とは、Ｂ２階を最下層階床として指定していることを意味する。図６のようなデータ構成によって、ビル仕様データの設定の省力化や、群管理制御装置２００から行先呼び登録装置１００に送信される伝送データの削減を図ることができる。【００４０】
図８は、行先呼び登録装置１００が、図６のビル仕様データ（２３１−２）を用いて階床情報を生成する場合を説明する図である。
（１）列１１は、テンキ−１１１から入力されるキー入力（階床名）を示している。
（２）列１２は、押されたキーに対応する「操作キー情報」を示してしる。例えば「Ｂ１」が押されると、端末側操作キー情報出力部１１３によって、操作キー情報（−１）が出力される。
（３）列１３は、端末側データ変換部１１４によって認識される「最下層階床との差」を示している。
（４）列１４は、操作キー情報に対応する階床情報を示している。【００４１】
ビル仕様データ（２３１−２）が配信された場合には、行先呼び登録装置１００によって、以下のように階床情報が生成される。ビル仕様データ（２３１−２）には階床差が「−２」（最下層指定情報）とあるので、端末側データ変換部１１４は、操作キー情報（−２）を最下層階床と判断する。従って、端末側データ変換部１１４は、操作キー情報（−２）を階床情報＜１＞に変換する。一方で、端末側データ変換部１１４は、最下層階床に対するそれぞれの階床（操作キー情報）の差を判断可能である。例えば、キー「Ｂ１」が押されると操作キー情報（−１）が出力される。端末側データ変換部１１４は、操作キー情報（−１）が最下層階床に対して［＋１］と判断可能である。よって、端末側データ変換部１１４は、操作キー情報（−１）を階床情報＜２＞に変換する。他のキーが押された場合も同様である。【００４２】
なお、ビル使用データ（２３１−２）を受信した場合、端末側データ変換部１１４は、列１２と列１４との関係を対応付けることにより、図８を図４に示したビル使用データ（２３１−１）の形式として保持してもよい。【００４３】
（０階への対応）
またビルの構成によってＢ１階と１階の間に、０階が存在することもある。このため、図９に示すデータ構成のように、ビル仕様データ（２３１−３）を「階床差」と「０階有無」（特定階床適用指定情報の一例）から構成されるようにしてもよい。【００４４】
図１０は、行先呼び登録装置１００が、図９のビル仕様データ（２３１−３）を用いて階床情報を生成する場合を説明する図である。ビル仕様データ（２３１−３）が配信された場合には、行先呼び登録装置１００によって、以下のように階床情報が生成される。ビル仕様データ（２３１−３）には階床差が「−２」とあるので、端末側データ変換部１１４は、操作キー情報（−２）を最下層と判断する。従って、端末側データ変換部１１４は、操作キー情報（−２）を階床情報＜１＞に変換する。これは図８の場合と同じである。また、ビル仕様データ（２３１−３）では、「０階有無」の欄が「有」であるので、端末側データ変換部１１４は、最下層に対するそれぞれの階床（操作キー情報）の差を判断する場合、０階を考慮に入れる。すなわち、端末側データ変換部１１４は、図１０の列１３のように、操作キー情報（０）も対象に含めて、最下層との差である列１３の値を判断する。従って、例えば、操作キー「２」が押されると操作キー情報（２）が出力されるが、端末側データ変換部１１４は、操作キー情報（２）が最下層（操作キー情報（−２））に対して階床差［＋４］と判断する。よって、端末側データ変換部１１４は、操作キー情報（２）を階床情報＜５＞に変換する。他の操作キーが押された場合も同様である。【００４５】
図１１は、行先呼び登録装置１００が、ビル仕様データ（２３１−４）を用いて階床情報を生成する場合を説明する図である。ビル仕様データ（２３１−４）は「０階有無」の欄が「無」の情報である。ビル仕様データ（２３１−４）が配信された場合には、行先呼び登録装置１００によって、以下のように階床情報が生成される。ビル仕様データ（２３１−４）には階床差が「−２」とあるので、端末側データ変換部１１４は、操作キー情報（−２）を最下層と判断する。従って、端末側データ変換部１１４は、操作キー情報（−２）を階床情報＜１＞に変換する。一方、ビル仕様データ（２３１−４）では、「０階有無」の欄が「無」であるので、端末側データ変換部１１４は、最下層に対するそれぞれの階床（操作キー情報）の差を判断する場合、０階を考慮に入れない。すなわち、端末側データ変換部１１４は、図１１の列１３のように、操作キー情報（０）を対象に含めることなく、最下層との差である列１３の値を判断する。例えば、操作キー「２」が押されると操作キー情報（２）が出力されるが、端末側データ変換部１１４は、操作キー情報（２）が最下層に対して階床差［＋３］と判断する。よって、端末側データ変換部１１４は、操作キー情報（２）を階床情報＜４＞に変換する。他の操作キーが押された場合も同様である。【００４６】
なお、図１０に示したビル使用データ（２３１−３）、あるいは図１１に示したビル使用データ（２３１−４）の場合も図８の場合と同様に、端末側データ変換部１１４は、ビル使用データ（２３１−３）あるいはビル使用データ（２３１−４）を受信した場合、列１２と列１４との関係を対応付けることにより、図４に示したビル使用データ（２３１−１）の形式として保持してもよい。【００４７】
以上の実施の形態では、
テンキーを備えた行先呼び登録装置により行先呼びを登録する群管理制御装置において、
行先呼び登録に必要なビル仕様データを群管理制御装置が一括で管理し、各行先呼び登録装置にビル仕様データを送信する機能を備えたことを特徴とするエレベータシステムを説明した。【００４８】
以上の実施の形態では、
ビル仕様データとして、エレベータの階床情報と階床名との差のみを送信する群管理制御装置２００を説明した。【００４９】
以上の実施の形態では、
ビル仕様データとして、エレベータの階床情報と階床名との差と、地下１階と１階との間の階の有無とを送信する群管理制御装置２００を説明した。【００５０】
以上説明したエレベータシステム１０００は、テンキーを備えた行先呼び登録装置によって行先呼び登録を行うエレベータシステムに活用できる。
【図面の簡単な説明】
【００５１】
【図１】実施の形態１に係るエレベータシステム１０００の概要を示すシステム構成図。
【図２】実施の形態１に係る行先呼び登録装置１００、群管理制御装置２００のハードウェア資源の一例を示す図。
【図３】実施の形態１に係るエレベータシステムのブロック図。
【図４】実施の形態１に係るビル仕様データ２３１のデータ構成図。
【図５】実施の形態１に係る図５は、エレベータシステム１０００の動作を示すフローチャート。
【図６】実施の形態２に係るビル仕様データ（２３１−２）。
【図７】実施の形態２に係る階床差の値を説明する図。
【図８】図６のビル仕様データ（２３１−２）を用いて階床情報を生成する過程を説明するための図。
【図９】実施の形態２に係るビル仕様データ（２３１−３）。
【図１０】図９のビル仕様データ（２３１−３）を用いて階床情報を生成する過程を説明するための図。
【図１１】ビル仕様データ（２３１−４）を用いて階床情報を生成する過程を説明するための図。
【符号の説明】
【００５２】
５０  かご、１００  行先呼び登録装置、１１０  行先呼び入力部、１１１  テンキー、１１２  表示器、１１３  端末側操作キー情報出力部、１１４  端末側データ変換部、１１５  割当かご通知部、１２０  端末側通信部、１３０  端末側格納部、１３１  ビル仕様データ、２００  群管理制御装置、２１０  ビル仕様データ設定部、２２０  制御側通信部、２３０  制御側格納部、２３１，２３１−１，２３１−２，２３１−３  ビル仕様データ、２４０  行先呼び登録部、３００  各台管理制御装置、３０１  かご制御部、４００  ビルディング、１０００  エレベータシステム。
【図１】
2009130750.tif 000003
【図２】
2009130750.tif 000004
【図３】
2009130750.tif 000005
【図４】
2009130750.tif 000006
【図５】
2009130750.tif 000007
【図６】
2009130750.tif 000008
【図７】
2009130750.tif 000009
【図８】
2009130750.tif 000010
【図９】
2009130750.tif 000011
【図１０】
2009130750.tif 000012
【図１１】
2009130750.tif 000013
【国際調査報告】
2009130750.tif 000014
2009130750.tif 000015